(57)【要約】【課題】壁面緑化において、装置の重量が軽く荷重制限に対応し易く、保肥・保水の期間が長く保たれて水管理等の省力化が図れ、植栽物の倒伏や飛散が防止できて安全な施設であり、ビルの壁面のみでなく、コンクリート擁壁の緑化にも使用可能な壁面緑化装置の開発。【解決手段】発泡盤、保肥力・保水性の高い植生基盤土を内包した軽量で腐蝕しにくい材質の植生マット、格子状盤、吸水マット及び格子状ネットシートを用いて加工した植生基盤体に貯水部、貯水槽、吸水ロープ、帯状吸水マット、樹木固定具等で構成する植栽室を形成し、荷重制限に対応し易く、耐久性を持ち、植栽木等の倒伏や飛散を防止し、自動灌水が可能で水管理の省力化が図れる壁面緑化装置。【選択図】図８
2008054611.tif 000002
【特許請求の範囲】
【請求項１】
発泡盤の表面に腐蝕しにくい薄型植生マット体を接合、裏面には硬質樹脂系格子状盤を接合、両面を縫製して植生盤とし、該植生盤の下向きを除く縁辺に雨水等の水分を吸水する吸水マットを装着し、全体をポリエチレンの格子状ネットシートで包み込むように植生盤に縫製し植生基盤体とし、該植生基盤体に貯水装置と樹木固定具を装備した植栽室を取付、植栽木等の飛散防止を図り、貯水槽から吸水ロープで植生基盤土へ自然灌水ができることを特長とした壁面緑化装置。
【請求項２】
壁面緑化装置の植栽室内を台座で上下に分離し、下部は貯水部とし上部は台座上に貯水槽と硬質樹脂系格子状盤を設置し、貯水部と貯水槽より吸水ロープで植生基盤土へ自然灌水し、樹木固定具のＪ型アンカーボルト、爪部、固定ネジナットの組合せで植栽木等を硬質樹脂系格子状盤上に固定することにより植栽木等の倒伏や飛散を防止することを特長とした壁面緑化装置を使った壁面緑化工法。
【発明の詳細な説明】
【技術分野】
【０００１】
壁面に木・花・ツタ・草を植栽し、ＣＯ２削減や壁面の反射熱を抑えるとともに景観の改善を図る壁面緑化装置と壁面緑化工法に関するものである。
【背景技術】
【０００２】
近年、都会におけるヒートアイランド現象が社会問題になるにつれて、ＣＯ２の削減や反射熱の抑制及び断熱効果による省エネルギー等の効果を期待する屋上緑化、屋根緑化、壁面緑化などの必要性が高まり、この要請に応える緑化装置や緑化器具の開発が盛んに行われ施工されているが地上と違い重量制限や水管理が難しく、特に植物には水が不可欠で屋上等の無土壌面で多くの植物が枯死している要因も水不足による水枯れである。
【０００３】
そのような中で、本発明者が開発した特許文献１と２があるが次のような問題点が判明した。特許文献１は、壁面植栽緑化装置システムによる緑化装置であるが、装置自体が硬質樹脂系盤や金属の型枠盤で形成されており、落下した場合に重大事故につながる可能性があり、またウイング型雨水集受器が風を受けやすく強風により飛散の恐れがある。特許文献２は、植生基盤土や植栽木の重圧により貯水皿内の吸水マットの保水機能が低下することや植栽室の外周壁面は風を通すため水分の蒸発が早いこと及び風雪等による植栽木の倒伏や飛散する恐れが判明した。
【特許文献１】特願２００５−３４１８６５号公報
【特許文献２】実願２００６−００６１４８号公報
【発明の開示】
【発明が解決しようとする課題】
【０００４】
そこで、このような問題を解決するため、装置の軽量化、植栽室外壁の改良、植栽木の倒伏や飛散防止、強風をまともに受けるウイング型雨水集受器の代替を検討し、貯水皿の改良と水の確保及び貯水を図りながら自然灌水が可能で壁面からの照り返しやＣＯ２の削減に寄与しかつ都市緑化デザインの多様化を図れる壁面緑化装置の開発。
【課題を解決するための手段】
【０００５】
植生マット体は、いずれも軽量で腐蝕しにくく植物の根を通す性質の材料で製作する。初めにポリエチレンの平織ネットシート、ポリエステルの不織布、水を保水給水するポリエステルの吸水マットの順に重ね底部とし、その上に保肥力・保水性の高い植生基盤土を２ｃｍ〜５ｃｍ厚で敷き詰め、その上にポリエステルの不織布、ポリエチレンの平織ネットシートを重ね上部とし、植生基盤土の移動防止のため底部と上部が一体化するように縦横所定間隔で縫製形成して保肥力・保水性の高い薄型植生マット体とする。
【０００６】
次に壁面緑化装置を形成する植生基盤体を腐蝕しにくく軽量で加工しやすい発泡盤を基台とし、その表面に蓄水機能を持つ薄型植生マット体を合わせ、裏面には発泡盤保護と植栽室が取付可能な硬質樹脂系格子状盤を合わせ発泡盤に縫着し、下向き以外の縁辺に雨水等の水分を薄型植生マット体内に給水する帯状吸水マットを装着し、薄型植生マット体の縫製糸の保護と植生基盤土流出防止に全体をポリエチレンの格子状ネットシートで包み込み発泡盤に縫製し植生基盤体とし、該植生基盤体表面の任意の箇所に植栽室と補助金具を取付て、軽量で貯水可能な壁面緑化装置とする。
【０００７】
当該植生基盤体に装備した植栽室は、外壁面から風を通さない材質で加工が容易な薄型発泡盤を基盤とし、該薄型発泡盤を保護する硬質樹脂系格子状盤でサンドイッチ状に挟み植生基盤体と同化するように全体をポリエチレンの平織ネットシートと格子状ネットシートで包むように縫製し風を通さず外気温を遮断する植栽室に形成する。植栽室内を台座状に加工した発泡盤で上下に分離して、上部は植栽域等とし下部は植栽室内壁面を防水シートで覆い貯水部としこの貯水部から吸水ロープを介して上部の植生基盤土に毛細管現象で給水する。なお台座面の大きさは上部の植生基盤土の飽和状態を超えた水分が下部の貯水部に流下可能とする間隔を植栽室壁面との間に保つ大きさとし、植生基盤土や植栽根が下部に侵入しないように水を通す不織布と防根シートで台座表面上部と内壁面を覆う。
【０００８】
さらに当該植栽室内の台座上面には、植栽木の倒伏や飛散を防止する特許取得（特許第３４１６７９９号）の樹木固定具を用いたコンクリート打設面用の樹木生育装置とその樹木生育工法で使用している樹木固定具であるＪ型アンカーピンの係止となる補助具の硬質樹脂系格子状盤を敷設し、該硬質樹脂系格子状盤に樹木を配置し固定する。植栽木の固定方法は、台座表面にＪ型アンカーピンの係止部が係止できる高さの発泡角材を任意間隔で並べ、その上に硬質樹脂系格子状盤を載せ、該硬質樹脂系格子状盤上に根巻した植栽木を配置する。
【０００９】
次に数本のＪ型アンカーピンを根鉢周囲の硬質樹脂系格子盤目枠に係止し、該Ｊ型アンカーピンの上部ネジ切り部に爪体の連結固定部を通し爪部にて植栽木の根鉢部を押さえつけ、ネジ切り部に固定ネジナットをはめ、締め付けることにより植栽木が硬質樹脂系格子状盤と一体化して固定される。上記樹木固定具並びに補助の支持力と、固定された植栽木の定位置まで植生基盤土を覆土することにより硬質樹脂系格子状盤を覆った植生基盤土と植栽木の重さにより、植栽木は倒伏や飛散をしない。
【００１０】
また硬質樹脂系格子状盤の上には、雨水等を貯水する貯水槽、前後内壁面の所定位置には帯状吸水マットを配備し、貯水槽から吸水ロープにて帯状吸水マットへ連結し該帯状吸水マットから植生基盤土へ毛細管現象で自動灌水が可能な植栽室とする。
【００１１】
上記壁面緑化装置の植栽室に低木、宿根植物、ツタ植物等を倒伏や飛散から防止する樹木固定具と補助具で根鉢を固定して植栽し、植栽室を除いた壁面緑化装置外壁面には、セダムを挿し木した壁面緑化装置を建築物等の壁面に取付けて緑化を図ることを特長とする壁面緑化工法。
【発明の効果】
【００１２】
発泡盤を基台とした壁面緑化装置は、腐蝕しにくく軽量で取り扱いやすく、蓄水機能を持つ吸水マットと軽量で保肥力・保水性が高い植生基盤土を使用した薄型植生マット体を接合し、下向き以外の縁辺に帯状吸水マットを付帯しているのでマット体内部に吸水しやすく薄層であっても保水期間が長く植栽植物生育に適し、植栽室は雨水等の水を下部の貯水部と上部の貯水槽に水を蓄え、吸水ロープと帯状吸水マットで植生基盤土に毛細管現象で自然灌水ができ、植栽植物の生育に必須の水管理の省力化を図れる壁面緑化装置である。
【００１３】
自然灌水は、下部の貯水部から吸水ロープで植生基盤土の下部へ、上部の貯水槽からは吸水ロープ及び吸水マットを経て上部植生基盤土へ、毛細管現象で給水される植物の給水や土壌表面からの蒸散による植生基盤土の含水状態に応じて給水されるため過剰水による根腐れや過小水による枯死を防止できる自然灌水である。
【００１４】
植栽室に植栽される低木、宿根植物、ツタ植物等は、全て根巻され樹木固定具と補助具にて植栽室内に植立に固定され、たとえ強風や振動等があっても倒木や飛散することもなく安全管理面でも心配のない壁面緑化装置である。
【００１５】
植栽室には低木、宿根植物、ツタ植物等を植栽し、植栽室を除いて壁面緑化装置表面にセダムを植栽した壁面緑化装置を壁面に装着することにより太陽光線の反射とＣＯ２の軽減に寄与し市街地の景観向上が図られる。また、植栽室は貯水量が豊富で毛細管現象による自動灌水のため水管理が軽減され、植栽木等が樹木固定具と補助具で固定されることにより風雪等で倒伏や飛散することもない壁面緑化装置を使った壁面緑化工法である。
【発明を実施するための最良の形態】
【００１６】
以下、本発明を図に基づき説明すると、図１は、壁面緑化装置の表面を覆う薄型植生マット体１の斜視図である。
【００１７】
図２は、いずれも腐蝕しにくく、植物の根を通し植生基盤土を流出しないメッシュの材質で形成する薄型植生マット体１の構造を示す断面図である。まず不織布１ｂを保護するポリエチレンの平織ネットシート１ａ、植生基盤土を保護するポリエステル製の不織布１ｂ、蓄水機能を持つポリエステルの吸水マット１ｃの順に重ね底部とし、底部上に保肥力・保水性が高い植生基盤土１ｄ（ココピート、ピートモス、木草炭、水苔、バーク堆肥、有機肥料、遅効性肥料、化成肥料の混合土）を２ｃｍ〜５ｃｍ厚で敷き詰め、その上に植生基盤土１ｄを保護するポリエステルの不織布１ｂ、植生基盤土１ｄと不織布１ｂを保護するポリエチレンの平織ネットシート１ａの順に重ねて上部を形成し、植生基盤土１ｄの移動防止のため底部と上部が一体化するように縦横一定間隔にポリエステル製の縫い糸１ｅで縫製した薄型植栽マット体１である。
【００１８】
図３は、植生基盤体２を示す（イ）断面図である。（ロ）は裏面の平面図であり、まず基盤となる発泡盤３の表面全体に薄型植栽マット体１を縫い代が約１ｃｍでる幅で覆いかぶせ、裏面全体に発泡盤３保護と植栽室が容易に取付可能な硬質樹脂系格子状盤４を張り合わせ、薄型植生マット体１、発泡盤３及び硬質樹脂系格子盤４をポリエステル製の縫い糸１ｅで縫製し、植生基盤体２の下向き以外の縁辺にポリエステルの帯状吸水マット５を縫い糸で仮止し、該帯状吸水マット５を押さえ薄型植生マット１と発泡盤３を保護するポリエチレンの格子状ネットシート６で包み込むように発泡盤３に縫製し、各角と角間の中央にネジ止ができるネジ止用パイプ管７を取付た植生基盤体２の裏面を示したものである。
【００１９】
図４の（イ）は、植栽室８を示す斜視図である。（ロ）は植栽室８の外壁面８ａの構成を示す模式図であり、水、風を通さない薄型発泡盤９を上下から保護する硬質樹脂系の格子盤４でサンドイッチ状に挟み込み植生基盤体に同化するポリエチレンの平織ネットシート１ａと格子状ネットシート６で包み込み周囲を縫製し植栽室８を形成する。
【００２０】
図５は、植栽室内の構造を示す説明図である。（イ）は、植栽室８内の下部の貯水部を示すもので、貯水位置の内壁面と底部面を防水シート１１で覆い貯水部１０を形成する。（ロ）は、（イ）で貯水部を形成した植栽室内を上下に仕切る台座と下部に植生基盤土や植栽根が侵入しないための不織布と防根シートを示したもので、まず雨水等の水分が貯水部１０に上部から貯水されるよう植栽室８内周巾より各１ｃｍ程度狭い発泡盤で加工した台座１２を設置（台座の高さは高水位の高さより約１ｃｍ高とし発泡角材で台座脚部を任意間隔で形成）し、台座表面と上部内壁面をいずれも水分を通し腐蝕しにくく材質の不織布１ｂ（植生基盤土の落下防止）、防根シート１３（植栽根の侵入防止）で覆う。（ハ）は、（ロ）で設置された植栽室内に植栽木固定補助具の硬質樹脂系格子盤４、その上に貯水槽１４を配置し、内壁面前後の所定位置に帯状吸水マット５を設置、貯水槽１４から吸水ロープ１５で帯状吸水マット５に接続し上部植生基盤土に給水し、下部の貯水部１０からも吸水ロープ１５で下部植生基盤土に給水する仕組みを示した説明図である。
【００２１】
図６の（イ）は、植栽木を固定する樹木固定具の説明図である。樹木固定具１６の基礎となっているＪ型アンカーボルト１７と爪体１８と固定ネジナット１９から構成されておりＪ型アンカーボルト１７の下部は鈎状の係止部１７ａを有し、その上端部にはネジ切り部１７ｂが形成されている。爪体１８は扇状に突出しその先端付近は下向き加減に曲がった爪部１８ａが形成され、その基端部には連結体のＪ型アンカーボルト１７のネジ切り部１７ｂに挿入される連結体固定部１８ｂが形成されている。固定ネジナット１９は、爪体１８とＪ型アンカーボルト１７を固定するためのネジナットである。（ロ）は、植栽木を樹木固定具で固定した状態を示した説明図である。樹木固定具の補助具である硬質樹脂系格子盤４の上に根巻した植栽木２０を配置し、根鉢２０ａ周囲の硬質樹脂系格子盤４目に複数本のＪ型アンカーボルト１７の係止部１７ａを係止し、ネジ切り部１７ｂに爪体１８の連結体固定部１８ｂを挿入し、爪部１８ａで根鉢２０ａを押さえつけ固定ネジナット１９によって締め付けることにより固定される。
【００２２】
図７（イ）は、植生基盤体に植栽室を取付、壁面緑化装置とした状態を示す斜視図である。植生基盤体への植栽室取付は、植栽室縁廻り８ｂに合わせた設置高の植生基盤体裏面の樹脂系格子盤目から千枚通し等の鋭角な物で表面に貫通させ、植生基盤体２へ接する植栽室縁廻り８ｂに近い植栽室の樹脂系格子盤目に合わせ、同じく貫通させて植生基盤体裏面から樹脂製の結束バンド２２を通し、新たに植栽室縁廻り８ｂ上から植生基盤体裏面の樹脂系格子盤目（先ほどの格子盤目の１つ上）に貫通させ植栽室の縁を巻き込むように固定バンド２２を通し植生基盤体裏面の樹脂系格子盤目枠に結束バンド２２をリング状に通し絞り込むことにより植生基盤体２に固定（固定箇所は任意間隔）され壁面緑化装置２１に固定される。（ロ）は結束バンドを示した平面図であり、ベルトの片面に凹凸を多数有しているベルト部、差込口、凹凸の係止部から構成された樹脂製結束バンドである。結束の仕方は結束する物を結束バンド２２のベルト部２２ａでリング状に巻き込み、差込口２２ｂにベルト部２２ａを通し絞り込むことにより係止部２２ｃに凹凸が掛かり結束される
。
【００２３】
図８は、壁面緑化装置２１に植栽した説明図である。手順として植栽室内の貯水部から台座表面に吸水ロープ、その上に脚部がついた硬質樹脂系格子盤が形成される。その硬質樹脂系格子盤の高さまで植生基盤土を覆土し、図７で説明した通りの手順で硬質樹脂系格子盤の上に根巻した植栽木・宿根草・ツタ植物を配置し、根鉢周囲の硬質樹脂系格子盤目枠に樹木固定具のＪ型アンカーボルト係止部を係止し、Ｊ型アンカーボルトのネジ切り部に爪体の連結体固定部を挿入し爪部で根鉢を押さえつけ固定ネジナットによって締め付け固定する。
【００２４】
次に樹木固定具と帯状吸水マットが隠れる高さ（貯水槽は帯状吸水マットより低い高さとする。）まで植生基盤土を覆土し、雨水等の水が貯水槽に流れ込むようにする。そのとき貯水槽にゴミや植生基盤土が流入しないよう貯水槽に植生基盤土を通さない網目のネット等で蓋をし、蓋には吸水ロープを通す切り口を設け貯水槽から帯状吸水マットに吸水ロープが接続され植生基盤土に、また貯水部から吸水ロープで植生基盤土へ毛細管現象で自動灌水される。植栽室以外の薄型植生マット体面にはセダムを挿し木した状態を示す壁面緑化装置２１である。
【００２５】
図９は、ビルの壁面にいろいろな形の壁面緑化装置を設置し、壁面緑化した状況を示した事例である。
【産業上の利用可能性】
【００２６】
壁面緑化装置は、軽量でかつ腐蝕しにくい材質の薄層マットを使用し耐久性を持ち、内包する土壌は保肥力・保水性が高く植栽植物の生育に有効でアンカーによる固定力により植栽木の倒伏や飛散がなく安全であるとともに水管理がしやすく壁面緑化に最適な装置として、またコンクリート等の擁壁等にも簡単に設置ができ、これからの壁面や擁壁緑化工事の装置として利用される可能性の高いものである。
【図面の簡単な説明】
【００２７】
【図１】薄型植生マット体を示す斜視図である。
【図２】薄型植生マット体の構造を示す断面図である。
【図３】（イ）は植生基盤体の構造を示す断面図であり、（ロ）は植生基盤体裏面を示す平面図である。
【図４】（イ）は植栽室を示す斜視図であり、（ロ）は植栽室の外壁面の構成を示す模式図である。
【図５】（イ）（ロ）（ハ）は、植栽室内の構造を示す説明図である。
【図６】（イ）（ロ）は、植栽木を固定する樹木固定具の説明図である。
【図７】（イ）は壁面緑化装置を示す斜視図であり、（ロ）は結束バンドを示す平面図である。
【図８】壁面緑化装置に植栽された状況を示した説明図である。
【図９】壁面緑化装置による実施例の斜視図である。
【符号の説明】
【００２８】
１    薄型植生マット体
１ａ  平織ネットシート
１ｂ  不織布
１ｃ  吸水マット
１ｄ  植生基盤土
１ｅ  縫い糸
２    植生基盤体
３    発泡盤
４    硬質樹脂系格子状盤
５    帯状吸水マット
６    格子状ネットシート
７    ネジ止用パイプ管
８    植栽室
８ａ  外壁面
８ｂ  植栽室縁廻り
９    薄型発泡盤
１０    貯水部
１１    防水シート
１２    台座
１３    防根シート
１４    貯水槽
１５    吸水ロープ
１６    樹木固定具
１７    Ｊ型アンカーボルト
１７ａ  係止部
１７ｂ  ネジ切り部
１８    爪体
１８ａ  爪部
１８ｂ  連結固定部
１９    固定ネジナット
２０    植栽木
２０ａ  根鉢
２１    壁面緑化装置
２２    結束バンド
２２ａ  ベルト部
２２ｂ  差込口
２２ｃ  係止部
【図１】
2008054611.tif 000003
【図２】
2008054611.tif 000004
【図３】
2008054611.tif 000005
【図４】
2008054611.tif 000006
【図５】
2008054611.tif 000007
【図６】
2008054611.tif 000008
【図７】
2008054611.tif 000009
【図８】
2008054611.tif 000010
【図９】
2008054611.tif 000011